(57)【要約】【課題】電圧変換回路を複数備え、出力電流が変化した場合でも効率の低下を防止することができる電圧変換装置を提供する。【解決手段】各電圧変換回路１０の出力電流の合計値を検出する電流検出部４２と、検出した合計値に応じて、各電圧変換回路１０のうち動作をさせる電圧変換回路１０の数を変更する変更部３１と、変更した結果、動作をさせる電圧変換回路１０の出力の位相を制御する位相制御部３５などを備える。変更部３１は、例えば、負荷が軽くなり、出力電流の合計値（負荷電流）が減少した場合に、出力電流の合計値に応じて、動作をさせる電圧変換回路１０の数を変更する。【選択図】図１
2012029465.tif 000002
【特許請求の範囲】
【請求項１】
コイルに流れる電流をスイッチングして電圧を変換する電圧変換回路を複数備え、各電圧変換回路の出力の位相を制御する電圧変換装置において、
前記電圧変換回路の出力電流の合計値を検出する電流検出部と、
該電流検出部で検出した合計値に応じて、前記電圧変換回路のうち動作をさせる電圧変換回路の数を変更する変更部と、
該変更部で変更した結果、動作をさせる電圧変換回路の出力の位相を制御する制御部と
を備えることを特徴とする電圧変換装置。
【請求項２】
各電圧変換回路が有するコイルのインダクタンス値を記憶する記憶部と、
前記変更部で動作をさせる電圧変換回路の数を変更する場合、記憶部に記憶したインダクタンス値に応じて動作をさせる電圧変換回路を選択する選択部と
を備えることを特徴とする請求項１に記載の電圧変換装置。
【請求項３】
前記選択部は、
前記電流検出部で検出した合計値の多／少に応じて、インダクタンス値が小／大である電圧変換回路を選択するように構成してあることを特徴とする請求項２に記載の電圧変換装置。
【請求項４】
前記変更部で変更した結果、一の電圧変換回路のみ動作をさせる場合、前記電流検出部で検出した合計値に応じて、前記一の電圧変換回路の出力周波数を変更する周波数変更部を備えることを特徴とする請求項１乃至請求項３のいずれか１項に記載の電圧変換装置。
【発明の詳細な説明】
【技術分野】
【０００１】
本発明は、コイルに流れる電流をスイッチングして電圧を変換する電圧変換回路を複数備え、各電圧変換回路の出力の位相を制御する電圧変換装置に関する。
【背景技術】
【０００２】
直流電圧を昇圧又は降圧して所望の直流電圧に変換するＤＣ／ＤＣコンバータ（電圧変換回路）が様々な分野で使用されている。このようなＤＣ／ＤＣコンバータは、コイルに流れる電流をスイッチングすることにより所要の電圧に変換する。また、特に、出力電流能力が大きく、また装置の小型化が図れるという利点から、複数のＤＣ／ＤＣコンバータを並列に接続し、それぞれのＤＣ／ＤＣコンバータの出力の位相を制御するマルチフェーズ電圧変換装置（電圧変換装置）も利用されている。
【０００３】
例えば、多段電力変換ユニットをお互いに同一定格とし、要求される電流定格に応じて多段電力変換ユニットの個数を設定することにより、種々の電力定格に応じたものを短い製作期間でかつ低コストで実現可能とするＤＣ／ＤＣ電力変換装置が開示されている（特許文献１参照）。
【先行技術文献】
【特許文献】
【０００４】
【特許文献１】特開２００９−２１９３０３号公報
【発明の概要】
【発明が解決しようとする課題】
【０００５】
しかしながら、特許文献１の装置にあっては、種々の電力定格に応じたＤＣ／ＤＣ電力変換装置を実現することができるものの、実際にＤＣ／ＤＣ電力変換装置を稼働させた場合には、常に定格電流で使用されるとは限らず、負荷の軽重が生ずる。例えば、負荷が軽くなりＤＣ／ＤＣコンバータの出力電流が少なくなった場合、コイルに流れる電流も少なくなるとともに、コイルに流れる電流の休止期間が生じることとなり、ＤＣ／ＤＣコンバータの効率が低下するという問題がある。
【０００６】
本発明は、斯かる事情に鑑みてなされたものであり、電圧変換回路を複数備え、出力電流が変化した場合でも効率の低下を防止することができる電圧変換装置を提供することを目的とする。
【課題を解決するための手段】
【０００７】
第１発明に係る電圧変換装置は、コイルに流れる電流をスイッチングして電圧を変換する電圧変換回路を複数備え、各電圧変換回路の出力の位相を制御する電圧変換装置において、前記電圧変換回路の出力電流の合計値を検出する電流検出部と、該電流検出部で検出した合計値に応じて、前記電圧変換回路のうち動作をさせる電圧変換回路の数を変更する変更部と、該変更部で変更した結果、動作をさせる電圧変換回路の出力の位相を制御する制御部とを備えることを特徴とする。
【０００８】
第２発明に係る電圧変換装置は、第１発明において、各電圧変換回路が有するコイルのインダクタンス値を記憶する記憶部と、前記変更部で動作をさせる電圧変換回路の数を変更する場合、記憶部に記憶したインダクタンス値に応じて動作をさせる電圧変換回路を選択する選択部とを備えることを特徴とする。
【０００９】
第３発明に係る電圧変換装置は、第２発明において、前記選択部は、前記電流検出部で検出した合計値の多／少に応じて、インダクタンス値が小／大である電圧変換回路を選択するように構成してあることを特徴とする。
【００１０】
第４発明に係る電圧変換装置は、第１発明乃至第３発明のいずれか１つにおいて、前記変更部で変更した結果、一の電圧変換回路のみ動作をさせる場合、前記電流検出部で検出した合計値に応じて、前記一の電圧変換回路の出力周波数を変更する周波数変更部を備えることを特徴とする。
【００１１】
第１発明にあっては、各電圧変換回路の出力電流の合計値を検出する電流検出部と、検出した合計値に応じて、各電圧変換回路のうち動作をさせる電圧変換回路の数を変更する変更部と、変更した結果、動作をさせる電圧変換回路の出力の位相を制御する制御部とを備える。例えば、負荷が軽くなり、出力電流の合計値（負荷電流）が減少した場合に、仮にすべての電圧変換回路を動作させたときは、電圧変換回路毎の出力電流が少なくなり、各電圧変換回路の効率が低下する。そこで、出力電流の合計値に応じて、動作をさせる電圧変換回路の数を変更する。例えば、出力電流の合計値が減少するに応じて、動作をさせる電圧変換回路の数を減らす。これにより、負荷が軽くなった場合でも、それぞれの電圧変換回路の出力電流が減少しないようにして効率の低下を防止することができる。
【００１２】
第２発明にあっては、各電圧変換回路が有するコイルのインダクタンス値を記憶する記憶部と、動作をさせる電圧変換回路の数を変更する場合、記憶部に記憶したインダクタンス値に応じて動作をさせる電圧変換回路を選択する選択部とを備える。例えば、すべての電圧変換回路が同じインダクタンス値のコイルを使用している場合には、動作をさせる電圧変換回路の数を一旦変更すれば、いずれの電圧変換回路を動作させても効率は変わらない。しかし、各電圧変換回路で使用するコイルのインダクタンス値が異なる場合には、各電圧変換回路のインダクタンス値に応じて、動作をさせる電圧変換回路を選択して、最も効率のよい状態にすることができる。
【００１３】
第３発明にあっては、選択部は、検出した合計値の多／少に応じて、インダクタンス値が小／大である電圧変換回路を選択する。例えば、出力電流の合計値が減少した場合において、動作をさせる電圧変換回路の数を少なくする必要があるときに、出力電流の合計値の減少分が少ない場合（合計値が多い場合）、コイルの巻線抵抗値が小さくインダクタンス値が小さい電圧変換回路を、動作をさせる電圧変換回路として選択する。また、出力電流の合計値の減少分が多い場合（合計値が少ない場合）、コイルに蓄えるエネルギーを大きくしてコイルに流れる電流の休止期間が発生しないようにすべく、インダクタンス値が大きい電圧変換回路を、動作をさせる電圧変換回路として選択する。これにより、負荷の変動に応じて、動作をさせる電圧変換回路の数を変更した場合でも、変更した数の中で最適な電圧変換回路の組み合わせを選択することができ、効率の低下を一層防止することができる。
【００１４】
第４発明にあっては、変更部で変更した結果、一の電圧変換回路のみ動作をさせる場合、検出した出力電流の合計値に応じて、一の電圧変換回路の出力周波数を変更する周波数変更部を備える。負荷がさらに軽くなり、動作をさせる電圧変換回路が１つで足りる場合に、さらに出力電流が少なくなったときは、出力電流の最小デューティ値において出力電流（出力電圧）の制御ができなくなる事態を回避すべく、出力電流の周波数を変更する（例えば、周波数を下げる）。これにより、見かけのデューティ値を小さくして出力電流（出力電圧）の制御を可能とすることができる。
【発明の効果】
【００１５】
本発明によれば、各電圧変換回路の出力電流の合計値を検出する電流検出部と、検出した合計値に応じて、各電圧変換回路のうち動作をさせる電圧変換回路の数を変更する変更部と、変更の結果、動作をさせる電圧変換回路の出力の位相を制御する制御部とを備えることにより、例えば、出力電流の合計値が減少するに応じて、動作をさせる電圧変換回路の数を減らすことができる。これにより、負荷が軽くなった場合でも、それぞれの電圧変換回路の出力電流が減少しないようにして効率の低下を防止することができる。
【図面の簡単な説明】
【００１６】
【図１】本実施の形態の電圧変換装置の構成の一例を示すブロック図である。
【図２】本実施の形態の電圧変換回路の構成の一例を示す回路図である。
【図３】電圧変換回路のコイルに流れる電流の一例を示す模式図である。
【図４】比較例としての従来の電圧変換回路のコイルに流れる電流の一例を示す模式図である。
【図５】電圧変換回路の効率特性の一例を示す説明図である。
【図６】電圧変換回路の動作個数と出力電流の合計値との関係の一例を示す説明図である。
【図７】本実施の形態の電圧変換装置の出力特性の一例を示す説明図である。
【図８】動作をさせる電圧変換回路の選択方法の一例を示す説明図である。
【図９】本実施の形態の電圧変換回路の構成の他の例を示す回路図である。
【図１０】本実施の形態の電圧変換装置による出力制御の処理手順を示すフローチャートである。
【発明を実施するための形態】
【００１７】
以下、本発明をその実施の形態を示す図面に基づいて説明する。図１は本実施の形態の電圧変換装置１００の構成の一例を示すブロック図である。電圧変換装置１００は、複数の並列に接続された電圧変換回路（例えば、ＤＣ／ＤＣコンバータ）１０、制御部３０、切替部４１、各電圧変換回路１０の出力電流の合計値（負荷５０に流れる負荷電流）を検出する電流検出部４２などを備える。
【００１８】
また、制御部３０は、動作をさせる電圧変換回路１０の数を変更する変更部３１、変更部３１で変更した数の中でいずれの電圧変換回路１０を動作させるかを選択する選択部３２、各電圧変換回路１０が有するコイルのインダクタンス値を記憶する記憶部３３、電圧変換回路１０の出力電流（出力電圧）の周波数を変更する周波数変更部３４、電圧変換回路１０の出力の位相を制御する制御部としての位相制御部３５、出力電圧検出部３６などを備える。
【００１９】
図２は本実施の形態の電圧変換回路１０の構成の一例を示す回路図である。電圧変換回路１０は、コンデンサ１１、１５、ＦＥＴ１２、コイル１３、ダイオード１４などを備える。電圧変換回路１０は、いわゆる降圧回路であるが、これに限定されるものではなく昇圧回路であってもよい。
【００２０】
図２に示すように、電圧変換回路１０は、入出力間にＦＥＴ１２とコイル１３の直列回路を設けてある。すなわち、ＦＥＴ１２のドレインが入力端に接続され、ＦＥＴ１２のソースがコイル１３の一端に接続され、コイル１３の他端は出力端に接続されている。ＦＥＴ１２のソースには、ダイオード１４のカソードを接続してある。
【００２１】
電圧変換回路１０は、コイル１３に流れる電流をスイッチングすることにより、所望の出力電圧（出力電流）を出力することができる。すなわち、ＦＥＴ１２がオンした場合、入力端からコイル１３を通じて出力端へ電流が流れる。このときに、コイル１３にエネルギーを蓄積する。次に、ＦＥＴ１２がオフとなった場合、コイル１３に蓄積したエネルギーにより、ダイオード１４を通じて出力端へ電流が流れる。つまり、ＦＥＴ１２がオンした場合、コイル１３に流れる電流は増加しはじめ、ＦＥＴ１２がオフした場合、コイル１３に流れる電流は減少しはじめる。
【００２２】
図３は電圧変換回路１０のコイル１３に流れる電流の一例を示す模式図である。図３に示すように、電圧変換回路１０の出力電流が、例えば定格時のような通常状態である場合、コイル１３に流れる電流は、ＦＥＴ１２のオンのときに増加し、オフのときに減少するものの、コイル１３には十分なエネルギーが蓄積されているので、コイル１３に電流が流れない期間（休止期間）はない。
【００２３】
電流検出部４２は、各電圧変換回路１０の出力電流の合計値（負荷電流）を検出し、検出した合計値を制御部３０へ出力する。
【００２４】
変更部３１は、電流検出部４２で検出した合計値に応じて、各電圧変換回路１０のうち動作をさせる電圧変換回路１０の数を変更する。すなわち、変更部３１は、電流検出部４２で検出した合計値に応じて、動作を停止する電圧変換回路１０の数を変更する。例えば、負荷が軽くなり、出力電流の合計値が減少した場合に、仮にすべての電圧変換回路１０を動作させたときは、電圧変換回路１０毎の出力電流が少なくなり、各電圧変換回路１０の効率が低下する。そこで、出力電流の合計値に応じて、動作をさせる電圧変換回路１０の数を変更する。例えば、出力電流の合計値が減少するに応じて、動作をさせる電圧変換回路１０の数を減らす。
【００２５】
図４は比較例としての従来の電圧変換回路のコイルに流れる電流の一例を示す模式図である。図４の例は、従来の電圧変換回路において、負荷が軽くなり出力電流が減少した場合を示し、本実施の形態に対する比較例として示すものである。出力電流が減少した場合には、コイルに電流が流れない期間（休止期間）が発生し、コイルに蓄積されるエネルギーが小さくなる。このため、電圧変換回路の効率は低下する。
【００２６】
図５は電圧変換回路の効率特性の一例を示す説明図である。図５に示すように、コイルに流れる電流が少なくなり休止期間が発生している場合は、出力電流が少なくなるに応じて電圧変換回路の効率は低下する。
【００２７】
図６は電圧変換回路１０の動作個数と出力電流の合計値との関係の一例を示す説明図である。図６において、横軸は各電圧変換回路１０の出力電流の合計値を示し、縦軸は動作をさせる電圧変換回路１０の個数を示す。例えば、電圧変換装置１００が、６個の電圧変換回路１０を備えるとする。出力電流の合計値が電流閾値Ｉｔｈ５以上であれば、電圧変換回路１０の動作個数を６個のまま維持する。出力電流の合計値が電流閾値Ｉｔｈ４〜Ｉｔｈ５の範囲になった場合には、１個の電圧変換回路１０の動作を停止させて、５個の電圧変換回路１０を動作させることにより、各電圧変換回路１０の出力電流の低下を抑制する。また、出力電流の合計値が電流閾値Ｉｔｈ３〜Ｉｔｈ４の範囲になった場合には、２個の電圧変換回路１０の動作を停止させて、４個の電圧変換回路１０を動作させることにより、各電圧変換回路１０の出力電流の低下を抑制する。以下、同様である。
【００２８】
図７は本実施の形態の電圧変換装置１００の出力特性の一例を示す説明図である。図７において、横軸は電圧変換回路１０の動作個数を示し、縦軸は電圧変換回路１０の出力電流の合計値、すなわち電圧変換装置１００の出力電流を示す。図７に示すように、電圧変換装置１００の出力電流は、電圧変換回路１０の動作個数を変動させつつ、リニア（連続モード）となる。
【００２９】
本実施の形態では、出力電流の合計値が減少するに応じて、動作をさせる電圧変換回路１０の数を減らす。これにより、動作をさせる電圧変換回路１０が供給しなければならない出力電流を減少させないか、あるいは出力電流の減少度合いを抑制する。例えば、出力電流の合計値が減少した場合、動作をさせる電圧変換回路１０の数を減らすことにより、コイル１３に流れる電流が、図３で例示する状態に維持する。すなわち、負荷が軽くなった場合でも、それぞれの電圧変換回路１０の出力電流が減少しないようにして効率の低下を防止することができる。
【００３０】
記憶部３３は、各電圧変換回路１０のコイル１３のインダクタンス値を記憶している。なお、各電圧変換回路のコイル１３のインダクタンス値は同一でもよく異なる値でもよい。以下では、インダクタンス値が異なるものとして説明する。
【００３１】
選択部３２は、変更部３１で動作をさせる電圧変換回路１０の数を変更する場合、記憶部３３に記憶したインダクタンス値に応じて動作をさせる電圧変換回路１０を選択する。例えば、すべての電圧変換回路１０が同じインダクタンス値のコイル１３を使用している場合には、動作をさせる電圧変換回路１０の数を一旦変更すれば、いずれの電圧変換回路１０を動作させても効率は変わらない。しかし、各電圧変換回路１０で使用するコイル１３のインダクタンス値が異なる場合には、各電圧変換回路１０のインダクタンス値に応じて、動作をさせる電圧変換回路１０を選択して、最も効率のよい状態にすることができる。
【００３２】
より具体的には、選択部３２は、電流検出部４２で検出した出力電流の合計値の多／少に応じて、インダクタンス値が小／大である電圧変換回路１０を選択する。例えば、出力電流の合計値が減少した場合において、動作をさせる電圧変換回路１０の数を少なくする必要があるときに、出力電流の合計値の減少分が少ない場合（合計値が多い場合）、コイル１３の巻線抵抗値が小さくインダクタンス値が小さい電圧変換回路１０を、動作をさせる電圧変換回路１０として選択する。
【００３３】
また、出力電流の合計値の減少分が多い場合（合計値が少ない場合）、コイル１３に蓄えるエネルギーを大きくしてコイル１３に流れる電流の休止期間が発生しないようにすべく、インダクタンス値が大きい電圧変換回路１０を、動作をさせる電圧変換回路１０として選択する。これにより、負荷の変動に応じて、動作をさせる電圧変換回路１０の数を変更した場合でも、変更した数の中で最適な電圧変換回路１０の組み合わせを選択することができ、効率の低下を一層防止することができる。
【００３４】
図８は動作をさせる電圧変換回路１０の選択方法の一例を示す説明図である。図８の例では、一例として、電圧変換装置１００が、４個の電圧変換回路１０を備えるものとし、各電圧変換回路１０が、Ｌ＝１０μＨ、Ｌ＝２０μＨ、Ｌ＝３０μＨ、Ｌ＝４０μＨのようにインダクタンス値が異なるコイル１３を使用するものとする。なお、インダクタンス値は一例であって、これに限定されるものではない。
【００３５】
図８において、左側の例は、出力電流の合計値が、例えば定格時のような通常状態である場合であり、４個の電圧変換回路１０すべてを動作させる。
【００３６】
次に図８の中央の例は、出力電流の合計値が減少したものの、出力電流の合計値の減少分が少なく、変更部３１で動作をさせる電圧変換回路１０の数を、例えば、３と変更した場合を示す。この場合には、出力電流の合計値の減少分が少ない場合（合計値が多い場合）ので、コイル１３の巻線抵抗値が大きくインダクタンス値が大きい電圧変換回路１０を、動作をさせる電圧変換回路１０として選択する。逆にいえば、インダクタンス値が小さい（Ｌ＝１０μＨ）の電圧変換回路１０の動作を停止する。
【００３７】
次に図８の右側の例は、出力電流の合計値が減少し、出力電流の合計値の減少分が多く、変更部３１で動作をさせる電圧変換回路１０の数を、例えば、１と変更した場合を示す。この場合には、コイル１３に蓄えるエネルギーを大きくしてコイル１３に流れる電流の休止期間が発生しないようにすべく、インダクタンス値が大きい電圧変換回路１０を、動作をさせる電圧変換回路１０として選択する。つまり、Ｌ＝４０μＨの電圧変換回路１０を動作させる。
【００３８】
周波数変更部３４は、変更部３１での変更結果により、一の電圧変換回路１０のみ動作をさせるとした場合、検出した出力電流の合計値に応じて、一の電圧変換回路１０の出力周波数を変更する。例えば、動作をさせる電圧変換回路１０が１つになった場合に、さらに出力電流が低下したときには、出力電流の最小デューティ値において出力電流（出力電圧）の制御ができなくなる事態を回避すべく、出力電流の周波数を変更する（例えば、周波数を下げる）。これにより、見かけのデューティ値を小さくして出力電流（出力電圧）の制御を可能とすることができる。
【００３９】
例えば、電圧変換回路１０を動作させる場合の最小デューティ値が０．２（２０％）であるとし、１個の電圧変換回路１０を３３３ｋＨｚの周波数で動作させた場合に、負荷が軽くなり出力電流が減少するに応じてデューティ値が小さくなり、最小デューティ値に達したものの、さらに出力電流を少なくする必要があるときには、オン時間を固定して動作周波数を３３３ｋＨｚから、２２２ｋＨｚ、１１１ｋＨｚへと小さくする。これにより、出力電流（出力電圧）の制御を可能とし、低出力から高出力まで幅広い範囲で安定した電力を効率良く供給することができる。
【００４０】
位相制御部３５は、各電圧変換回路１０の出力の位相を制御する。例えば、Ｎ個の電圧変換回路１０を動作させる場合に、動作させる周期がＴであるときは、各電圧変換回路の出力をＴ／Ｎずつずらす。これにより、リップル電流を減少させることができる。なお、動作をさせる電圧変換回路１０の数が変動した場合、各電圧変換回路の出力のずらし幅も変動する。
【００４１】
切替部４１は、すべての電圧変換回路１０の動作を停止させる場合（例えば、非制御時）、電圧変換回路１０の入出力端をバイパスさせるように、接点４１ａを接点４１ｂから４１ｃへ接続して電路を切り替える。図１の例ではリレーを用いる構成であるが、電路を切り替えることができるものであれば、半導体スイッチなど他の構成でもよい。これにより、例えば、電圧変換回路１０内の回路素子に流れる漏れ電流による消費電力を削減して、電圧変換装置１００で消費される電力を少なくすることができる。
【００４２】
上述の説明では、電圧変換回路１０が降圧回路であったが、昇圧回路でもよい。図９は本実施の形態の電圧変換回路１０の構成の他の例を示す回路図である。電圧変換回路１０は、コンデンサ１６、２０、ＦＥＴ１８、コイル１７、ダイオード１９などを備える。
【００４３】
図９に示すように、電圧変換回路１０は、入出力間にコイル１７とダイオード１９の直列回路を設けてある。コイル１７とダイオード１９の接続箇所にＦＥＴ１８のドレインを接続してある。
【００４４】
電圧変換回路１０は、コイル１７に流れる電流をスイッチングすることにより、所望の出力電圧（出力電流）を出力することができる。すなわち、ＦＥＴ１８がオンした場合、入力端からコイル１７、ＦＥＴ１８に電流が流れ、コイル１７にエネルギーを蓄積する。次に、ＦＥＴ１８がオフとなった場合、コイル１７に蓄積したエネルギーにより、ダイオード１９を通じて出力端へ電流が流れる。
【００４５】
次に、本実施の形態の電圧変換装置１００の動作について説明する。図１０は本実施の形態の電圧変換装置１００による出力制御の処理手順を示すフローチャートである。制御部３０は、出力電流の合計値（負荷電流）を取得し（Ｓ１１）、電圧変換回路１０の動作個数を変更する（Ｓ１２）。動作個数の変更は、例えば、出力電流の合計値に対応付けて予め動作個数を記憶してもよく、あるいは出力電流の合計値から動作個数を算出してもよい。
【００４６】
動作個数は、例えば、次のようにして算出することができる。出力電流の合計値から目標出力電圧Ｖｏｕtを求め、必要とするインダクタンス値を、例えば、ｋ×η×Ｔ×Ｖｏｕtで算出する。ここで、ｋは所定の定数、ηは効率、Ｔは周期である。各電圧変換回路１０のコイルのインダクタンス値と必要とするインダクタンス値とから動作をさせる個数を求める。
【００４７】
制御部３０は、変更した個数分の電圧変換回路を選択する（Ｓ１３）。なお、電圧変換回路１０のコイル１３のインダクタンス値が等しい場合には、ステップＳ１３の処理を省略することができる。
【００４８】
制御部３０は、出力電流の合計値、動作をさせる個数Ｎ、動作周期Ｔ等から、出力電圧（出力電流）のデューティ値を算出し（Ｓ１４）、動作個数が１であるか否かを判定する（Ｓ１５）。
【００４９】
動作個数が１でない場合（Ｓ１５でＮＯ）、制御部３０は、算出したデューティ値で出力電圧（出力電流）を調整し（Ｓ１６）、後述のステップＳ２１の処理を行う。動作個数が１である場合（Ｓ１５でＹＥＳ）、制御部３０は、（出力電圧−目標電圧）が電圧閾値より大きいか否かを判定する（Ｓ１７）。
【００５０】
（出力電圧−目標電圧）が電圧閾値より大きい場合（Ｓ１７でＹＥＳ）、制御部３０は、出力電圧（出力電流）の周波数を下げ（Ｓ１８）、後述のステップＳ２１の処理を行う。（出力電圧−目標電圧）が電圧閾値より大きくない場合（Ｓ１７でＮＯ）、制御部３０は、デューティ値が最高値であるか否かを判定する（Ｓ１９）。最高値は、例えば、１（１００％）とすることができる。
【００５１】
デューティ値が最高値である場合（Ｓ１９でＹＥＳ）、制御部３０は、出力電圧（出力電流）の周波数を上げ（Ｓ２０）、後述のステップＳ２１の処理を行う。デューティ値が最高値でない場合（Ｓ１９でＮＯ）、制御部３０は、ステップＳ２０の処理を行うことなく後述のステップＳ２１の処理を行う。
【００５２】
制御部３０は、電源オフか否かを判定し（Ｓ２１）、電源オフでない場合（Ｓ２１でＮＯ）、ステップＳ１１以降の処理を続け、電源オフである場合（Ｓ２１でＹＥＳ）、処理を終了する。
【００５３】
本実施の形態では、負荷側が要求する電力が減少した場合、動作をさせる電圧変換回路の個数を少なくし、１個の電圧変換回路が負担する出力電流が減少することを抑制して、コイルに流れる電流が流れない期間（休止期間）が発生して電流が不連続となることを防止するので、効率の低下を防止することができ、低出力電力から高出力電力までの広い範囲に亘って安定した出力電力を効率良く供給することができる。また、コイルに流れる電流に休止期間が発生して電流が不連続になることにより出力電圧の異常上昇も回避することができる。
【符号の説明】
【００５４】
１０  電圧変換回路
１２、１８  ＦＥＴ
１３、１７  コイル
１４、１９  ダイオード
３０  制御部
３１  変更部
３２  選択部
３３  記憶部
３４  周波数変更部
３５  位相制御部（制御部）
３６  出力電圧検出部
４２  電流検出部
【図１】
2012029465.tif 000003
【図２】
2012029465.tif 000004
【図３】
2012029465.tif 000005
【図４】
2012029465.tif 000006
【図５】
2012029465.tif 000007
【図６】
2012029465.tif 000008
【図７】
2012029465.tif 000009
【図８】
2012029465.tif 000010
【図９】
2012029465.tif 000011
【図１０】
2012029465.tif 000012